(57)【特許請求の範囲】
【請求項１】
メイン刃（１２）を備えた本体ケース（１）の一側に、トリマーユニット（３）と、トリミング高さを調整するアタッチメント（３０）とが配置されており、
トリマーユニット（３）は、ホルダー（３１）と、ホルダー（３１）の上部に配置される切断刃（３３）とを含み、
ホルダー（３１）は、下方の待機位置と上方の作動位置との間をスライド変位できるよう、本体ケース（１）で上下スライド可能に支持されており、
アタッチメント（３０）は、ホルダー（３１）で上下スライド可能に案内支持される本体部（４３）と、本体部（４３）の上部に設けられる一群の梳歯（４４）とを備えており、
本体部（４３）はホルダー（３１）に沿ってスライド変位操作されて、梳歯（４４）と切断刃（３３）との間隔を変更して、切断刃（３３）によるトリミング高さを調整でき、
ホルダー（３１）の切り換え位置とは無関係に、アタッチメント（３０）をホルダー（３１）に対して調整スライド操作できることを特徴とする電気かみそり。
【請求項２】
ホルダー（３１）と本体部（４３）との間に、アタッチメント（３０）を上下スライド不能にロック保持するロック構造が設けられており、
ロック構造は、本体部（４３）の表面に露出するロック解除具（５４）を含み、
ロック解除具（５４）をロック解除操作した状態において、アタッチメント（３０）をホルダー（３１）に対してスライド変位操作できる請求項１記載の電気かみそり。
【請求項３】
アタッチメント（３０）がホルダー（３１）の上部に組み付けられて、アタッチメント（３０）の下方に露出するホルダー（３１）の外面に、トリマーユニット（３）を上下操作する指当部（６８）が形成されており、
前記指当部（６８）に臨む本体部（４３）の外面下部にロック構造のロック解除具（５４）が配置してある請求項２記載の電気かみそり。
【請求項４】
ホルダー（３１）の両側面と、これら両側面に被さる本体部（４３）の両側壁（４５）との間に、本体部（４３）を上下スライド可能に案内するガイドリブ（４９）とガイド溝（５０）とが形成してある請求項２または３記載の電気かみそり。
【請求項５】
ロック構造が、ロック爪（５７）を有するロックレバー（５２）と、ロック爪（５７）と係合してアタッチメント（３０）をロック保持する複数個の係合体（５５）と、ロックレバー（５２）をロック付勢するばね（５３）と、ロックレバー（５２）をばね（５３）に抗してロック解除操作するロック解除ボタン（５４）とで構成されており、
ロックレバー（５２）が本体部（４３）の内面に組み込まれ、ホルダー（３１）の外面に係合体（５５）が形成してある請求項２または３または４記載の電気かみそり。
【請求項６】
本体ケース（１）の上下中途部に、他のケース部分より幅狭のくびれ部分（７１）が形成されており、
前記くびれ部分（７１）に指先をあてがうための指当凹部（７２）が形成してある請求項２〜５のいずれかに記載の電気かみそり。
【請求項７】
本体部（４３）の下部周面に上向きに傾斜する指当壁（５９）が形成されており、指当壁（５９）がくびれ部分（７１）の上傾斜面と同じ高さに設けてある請求項６記載の電気かみそり。
【請求項８】
指当壁（５９）が下凸湾曲状に形成してある請求項７記載の電気かみそり。
【請求項９】
アタッチメント（３０）がホルダー（３１）に対して、ホルダー（３１）の上端側から着脱可能に組み付けられている請求項６〜８のいずれかに記載の電気かみそり。
【発明の詳細な説明】
【技術分野】
【０００１】
本発明は、ひげ用のトリマーユニットとトリミング高さを調整するアタッチメントを備えている電気かみそりに関する。
【背景技術】
【０００２】
本発明に関して、ひげトリミング用のバリカン刃と、トリミング高さを調整するためのアタッチメントを備えている電気かみそりは、例えば特許文献１に公知である。そこでは、本体ケースの一側に配置したバリカン刃を、待機姿勢と使用姿勢とにスライド切り換え可能に支持し、使用姿勢に切り換えられた状態のバリカン刃にアタッチメントを着脱できるようにしている。きわ剃刃にアタッチメントを装着して、ひげをトリミングできるようにした電気かみそりも提案されている（特許文献２参照）。
【０００３】
【特許文献１】特開昭６３−１５８０９３号公報（第２頁右下欄、第６図）
【特許文献２】実開昭６０−１４７３７１号公報（第３頁１２行、第１図）
【発明の開示】
【発明が解決しようとする課題】
【０００４】
特許文献１の電気かみそりは、独立部品として構成されたアタッチメントをバリカン刃に装着してひげのトリミングを行うが、メイン刃を使用するときは、アタッチメントをバリカン刃から取り外す必要がある。そのため、バリカン刃から取り外したアタッチメントの保管が杜撰であると、アタッチメントを紛失するおそれがある。バリカン刃を使用姿勢に切り換えた状態でアタッチメントを着脱する必要があるので、安全性に問題がある。バリカン刃を使用姿勢に切り換えた状態においては、その可動刃が振動子と連結されるため、スイッチボタンを誤ってオン操作してしまうとバリカン刃が駆動されるからである。
【０００５】
アタッチメントをバリカン刃に装着した状態で電気かみそりを保管すると、アタッチメントを紛失することはない。しかし、使用姿勢に切り換えられたバリカン刃はメイン刃の先端から大きく突出するので、電気かみそりを誤って取り落とし、あるいは他物が衝突する場合などに、アタッチメントやバリカン刃を破損するおそれがある。アタッチメントが装着された電気かみそりは、保管するのに大きなスペースを必要とする不利もある。
【０００６】
本発明の目的は、アタッチメントがトリマーユニットと一体化してあって、紛失や破損のおそれがないのはもちろん、トリマーユニットを必要に応じてきわ剃り状態と、ひげトリミング状態とに簡便に切り換えることができる電気かみそりを提供することにある。
【課題を解決するための手段】
【０００７】
本発明の電気かみそりは、メイン刃１２を備えた本体ケース１の一側に、トリマーユニット３と、トリミング高さを調整するアタッチメント３０とが配置してある。トリマーユニット３は、ホルダー３１と、ホルダー３１の上部に配置される切断刃３３とを含む。ホルダー３１は、下方の待機位置と上方の作動位置との間をスライド変位できるよう、本体ケース１で上下スライド可能に支持する。アタッチメント３０は、ホルダー３１で上下スライド可能に案内支持される本体部４３と、本体部４３の上部に設けられる一群の梳歯４４とを備えている。本体部４３はホルダー３１に沿ってスライド変位操作することにより、梳歯４４と切断刃３３との間隔を変更して、切断刃３３によるトリミング高さを調整できる。以て、ホルダー３１の切り換え位置とは無関係に、アタッチメント３０をホルダー３１に対して調整スライド操作できることを特徴とする。
【０００８】
ホルダー３１と本体部４３との間に、アタッチメント３０を上下スライド不能にロック保持するロック構造を設ける。ロック構造は、本体部４３の表面に露出するロック解除具５４を含む。このロック解除具５４をロック解除操作すると、アタッチメント３０をホルダー３１に対してスライド変位操作できる。
【０００９】
アタッチメント３０がホルダー３１の上部に組み付けられており、アタッチメント３０の下方に露出するホルダー３１の外面に、トリマーユニット３を上下操作するための指当部６８を形成する。指当部６８に臨む本体部４３の外面下部にロック構造のロック解除具５４を配置する。
【００１０】
ホルダー３１の両側面と、これら両側面に被さる本体部４３の両側壁４５との間に、本体部４３を上下スライド可能に案内するガイドリブ４９とガイド溝５０を形成する。
【００１１】
ロック構造は、ロック爪５７を有するロックレバー５２と、ロック爪５７と係合してアタッチメント３０をロック保持する複数個の係合体５５と、ロックレバー５２をロック付勢するばね５３と、ロックレバー５２をばね５３に抗してロック解除操作するロック解除ボタン５４とで構成する。ロックレバー５２は本体部４３の内面に組み込み、ホルダー３１の外面に係合体５５を形成する。
【００１２】
本体ケース１の上下中途部に、他のケース部分より幅狭のくびれ部分７１を形成する。くびれ部分７１に指先をあてがうための指当凹部７２を形成する。
【００１３】
本体部４３の下部周面に上向きに傾斜する指当壁５９を形成する。指当壁５９はくびれ部分７１の上傾斜面と同じ高さに設ける。
【００１４】
指当壁５９を下凸湾曲状に形成する。
【００１５】
アタッチメント３０はホルダー３１に対して、ホルダー３１の上端側から着脱可能に組み付ける。
【発明の効果】
【００１６】
本発明では、ホルダー３１と、ホルダー３１の上部に配置される切断刃３３などでトリマーユニット３を構成し、ホルダー３１を本体ケース１で上下スライド可能に支持した。さらに、本体部４３と一群の梳歯４４などでアタッチメント３０を構成し、その本体部４３をホルダー３１で上下スライド可能に案内支持し、ホルダー３１の切り換え位置とは無関係に、アタッチメント３０をホルダー３１に対して調整スライド操作できるようにした。
【００１７】
上記のように、アタッチメント３０をホルダー３１の切り換え位置とは無関係に調整スライド操作できる電気かみそりによれば、メイン刃１２を使用する毎に、アタッチメント３０をトリマーユニット３から取り外して保管する必要がなく、アタッチメント３０をホルダー３１に装着した状態のままでメイン刃１２を使用し、あるいはアタッチメント３０を装着した状態のままで電気かみそりを保管でき、分離保管することに伴うアタッチメント３０の紛失を解消できる。また、トリマーユニット３、およびアタッチメント３０を、それぞれ待機位置に戻したコンパクトな状態で保管できるので、電気かみそりを誤って取り落とし、あるいは他物と衝突する場合であっても、アタッチメント３０や切断刃３３が破損するのをよく防止できる。保管に必要なスペースが少なくて済む利点もある。
【００１８】
ホルダー３１と本体部４３との間にロック構造を設け、そのロック解除具５４をロック解除操作した状態でのみ、アタッチメント３０をホルダー３１に対してスライド変位操作できるようにすると、メイン刃１２を使用するときにアタッチメント３０が不必要にスライド変位するのを防止できる。さらに、必要時にはアタッチメント３０をロック構造で所定の調整位置にロック保持できるので、刈り高さを安定的に維持してひげを均一にトリミングすることができる。
【００１９】
アタッチメント３０の装着位置の下方で露出するホルダー３１の外面に指当部６８を形成し、指当部６８に臨む本体部４３の外面下部にロック解除具５４を配置する電気かみそりによれば、ロック解除具５４と指当部６８を上下に近接配置できるので、本体ケース１をつかんだ状態のまま親指を上下にずらすだけで、指当部６８とロック解除具５４を操作でき、トリマーユニット３の昇降操作から、アタッチメント３０のスライド調整操作に至る一連の動作を、本体ケース１をつかみなおす必要もなく簡便に行うことができる。
【００２０】
ホルダー３１の両側面と本体部４３の両側壁４５との間に、互いに係合するガイドリブ４９とガイド溝５０を形成し、これら両者４９・５０で本体部４３を上下スライド可能に案内する支持構造によれば、左右両側の最も安定した位置でアタッチメント３０をスライド案内して、調整スライド時にアタッチメント３０がぐらつき、あるいは斜めに傾くのを解消できる。これにより梳歯４４を常に適正な姿勢に維持して、ひげの刈り高さを一定に揃えることができ、ひげをさらに均一にトリミングできる。
【００２１】
ロック爪５７を有するロックレバー５２と、ロックレバー５２をロック付勢するばね５３と、ロック爪５７と係合する複数個の係合体５５と、ロック解除ボタン５４などで構成したロック構造によれば、ロック解除ボタン５４を押し込み操作し、その状態のままで移動操作することによりアタッチメント３０を所望位置に調整移動し、即座に移動不能にロック保持できるので、アタッチメント３０の位置調整操作を簡便に行うことができる。ロックレバー５２を本体部４３の内面に組み込み、ホルダー３１の外面に係合体５５を形成するので、ロックレバー５２がホルダー３１の外面に組み付けてある場合に比べて、ロックレバー５２と係合体５５との係合をより確実に解除できるうえ、ロック解除操作とアタッチメント３０の昇降操作とをより円滑に行うことができる。
【００２２】
本体ケース１の上下中途部に、他のケース部分より幅狭のくびれ部分７１を形成し、くびれ部分７１に指先をあてがうための指当凹部７２を形成した電気かみそりによれば、本体ケース１を五指で握りしめてメイン刃１２によってひげを剃るとき、くびれ部分７１の上傾斜面で親指および人差し指の上面を受け止めて、手が本体ケース１に沿って滑るのを確実に防止でき、さらに電気かみそりを手にフィットさせてその扱い易さを向上できる。また、トリマーユニット３を使用するときは、親指と人差し指の指先を指当凹部７２にあてがって本体ケース１をつかむことにより、電気かみそりをしっかりと捕捉しながら、その姿勢を自由に変更でき、これによりアタッチメント３０の梳歯４４を肌面に沿って的確に滑らせながら、ひげのトリミングを正確にしかも簡便に行うことができる。
【００２３】
本体部４３の下部周面に上向きに傾斜する指当壁５９を形成し、この指当壁５９をくびれ部分７１の上傾斜面と同じ高さに設けると、上記のように、本体ケース１を五指で握りしめてメイン刃１２によってひげを剃るとき、くびれ部分７１の上傾斜面と、斜め上向きに傾斜する指当壁５９とで親指および人差し指の上面を受け止めて、さらに好適にフィットさせることができ、その分だけ電気かみそりの扱い易さを向上できる。
【００２４】
指当壁５９が下凸湾曲状に形成してあると、本体ケース１を五指で握りしめた状態でメイン刃１２によってひげを剃るとき、親指や人差し指がアタッチメント３０の下部周壁に当って引っ掛かるのを解消できるので、本体ケース１を握りしめた状態のままで電気かみそりを左右に傾動操作でき、メイン刃１２を肌面に沿って自在に姿勢変更し、効果的にひげそりを行える。
【００２５】
アタッチメント３０が、ホルダー３１に対してその上端側から着脱可能に組み付けてある電気かみそりによれば、アタッチメント３０をホルダー３１に着脱するだけで、トリマーユニット３をきわ剃り状態とひげトリミング状態とに迅速に変更できる。きわ剃りが終わったら、アタッチメント３０をホルダー３１に再装着して保管できるので、アタッチメント３０を紛失することもない。きわ剃り状態においては、ホルダー３１の上部に切断刃３３が露出するので、もみあげの切断状況や、切断したい長毛などを明確に目視し確認しながら、きわ剃り作業を確実に行うことができる。ホルダー３１が待機状態に切り換えられた状態であっても、アタッチメント３０をホルダー３１に自由に着脱できるので、着脱時にスイッチノブ５を誤ってオン操作してしまうようなことがあっても、アタッチメント３０の着脱を安全に行える。
【発明を実施するための最良の形態】
【００２６】
（実施例）  図１ないし図１０は本発明に係る電気かみそりの実施例を示す。図２ないし図４において電気かみそりは、本体ケース１と、本体ケース１に組み付けられる作動ユニット２と、トリマーユニット３などで構成する。本体ケース１は前後に二分割される前ケース１ａおよび後ケース１ｂと、これら前後ケース１ａ・１ｂに下方から外嵌する下ケース１ｃなどを接合して構成してある。前ケース１ａの前面上下には、モーター起動用のスイッチノブ５と、電気かみそりの運転状態を表示するための表示灯６などが設けてある。
【００２７】
図４に示すように作動ユニット２は、下半側を占める電装品ユニットと、その上部に設けられるかみそりヘッド９とで構成する。電装品ユニットは、電装品ホルダーに回路基板と二次電池１１などを組み付けて構成してある。回路基板には、先のスイッチノブ５で切り換え操作されるスイッチや、制御回路を構成する電子部品、および表示灯６の光源となるＬＥＤなどが実装してある。モーター１０を含む電装品ユニットは本体ケース１内に収容され、この組み付け状態において、モーター１０を含むかみそりヘッド９が前後、左右、上下の全方位方向へ浮動可能に支持される。本体ケース１の中心軸が垂直線に沿うとき、かみそりヘッド９の中心軸はケース前方へ傾斜させてある。
【００２８】
図１に示すように、かみそりヘッド９には、前後一対のメイン刃１２と、一対のメイン刃１２の間に配置されるセンター刃１３と、これらを往復駆動する駆動機構とモーター１０などが組み込んである。モーター１０の回転動力は、その出力軸に固定した偏心カム１５と、ヘッドケース１６に組み込んだ振動子１７とで往復動力に変換され、振動子１７の上部に設けた前後一対の駆動軸１８・１８を介してメイン刃１２へと伝動される。
【００２９】
ケース前方に位置する駆動軸１８には、センター刃１３を同時に駆動するための駆動ピース１９ａが固定してあり、ケース後方に位置する駆動軸１８には、後述するトリマーユニット３の切断刃３３を駆動する駆動ピース１９ｂが固定してある。駆動軸１８とヘッドケース１６との間はパッキンで封止してある。符号２１は、ヘッドケース１６の下面に固定されるモーターホルダーであり、先のヘッドケース１６とモーターホルダー２１との間に振動子１７が組み込んである。
【００３０】
メイン刃１２は、内刃ホルダーに固定される逆Ｕ字状の内刃１２ａと、外刃ホルダー２５でアーチ状に保持される外刃１２ｂなどで構成してあり、主として短毛をカットとする。内刃１２ａはスリット刃で構成され、外刃１２ｂは網刃で構成してある。センター刃１３は主に長毛をカットするために設けてあり、外刃１２ｂと共に外刃ホルダー２５に組み付けてある。センター刃１３は、先の駆動ピース１９ａで往復駆動される内センター刃１３ａと、外刃ホルダー２５に装着される外センター刃１３ｂとからなる。これらの刃体１３ａ・１３ｂはいずれもスリット刃で構成する。ヘッドケース１６に外嵌装着した外刃ホルダー２５は、ヘッドケース１６の左右に組み込んだロック爪（図示していない）で装着状態が維持される。ロック爪と一体に設けたロック解除ボタン２７をばねの弾性に抗して押し込み操作すると、ロック爪と外刃ホルダー２５との係合状態が解除されて、外刃ホルダー２５をヘッドケース１６から取り外すことができる。
【００３１】
本体ケース１の背面には、主に長毛やくせ毛をカットするトリマーユニット３と、トリミング高さを調整するアタッチメント３０が配置してある。図５および図６において、トリマーユニット３は、後ケース１ｂの後面に設けた平坦面７に沿って上下スライド自在に支持されるホルダー３１と、ホルダー３１の上部に配置されるバリカン刃構造の切断刃３３と、ホルダー３１の内面に係合装着されて、切断刃３３の後面を覆う内カバー３２などで構成する。
【００３２】
ホルダー３１は、後ケース１ｂとの対向面、および上面が開口された羽子板状のプラスチック成形品からなり、広幅に形成される上部内面に切断刃３３が配置され、その下方に伝動レバー３４が組み込んである。ホルダー３１の内面上部に設けた左右一対の係合片３６を内カバー３２の開口３５に係合することにより、ホルダー３１と内カバー３２とが一体化される。
【００３３】
ホルダー内面の上下中央に設けた左右一対のスライド脚３７を、後ケース１ｂの平坦壁７に設けた左右一対のガイド壁３８（図６および図９参照）に係合することにより、ホルダー３１および内カバー３２が、下方の待機位置と上方の作動位置との間をスライド変位可能に案内支持される。この組み付け状態において、ホルダー３１の内面下部に設けた縦リブ３９は、後ケース１ｂに設けたガイド溝４０で係合案内されてホルダー３１の蛇行を規制しており、これにより駆動ピース１９ｂから伝動レバー３４を介して切断刃３３に動力を伝動する時の伝動ロスを防止できる。
【００３４】
内カバー３２と後ケース１ｂとの間には、トリマーユニット３を待機位置と作動位置において位置保持する節度機構が設けてある。図５および図６に示すように、節度機構は、内カバー３２の板面下部から連出されるＵ字状の弾性腕８６と、弾性腕８６の中途部対向面に形成されるピン状の節度突起８７と、後ケース１ｂの平坦壁７に設けられる左右一対の節度リブ８８とで構成する。
【００３５】
トリマーユニット３が待機位置にあるとき、節度突起８７は節度リブ８８の下端に乗りあがっており、トリマーユニット３を作動位置へ押し上げ操作すると、節度突起８７は弾性腕８６を外膨らみ状に弾性変形させながら節度リブ８８の外側面に沿って摺動し、摺動ストロークの上端においては、図７に示すように節度突起８７が節度リブ８８の上端に乗りあがってその位置を保持する。
【００３６】
図５において切断刃３３は、ホルダー３１の内面上部に固定される鋸刃状の固定刃３３ａと、刃ホルダー３３ｂに固定される鋸刃状の可動刃３３ｃと、固定刃３３ａおよび刃ホルダー３３ｂを密着挟持する板ばね製のクリップ３３ｄとで構成する。刃ホルダー３３ｂの下部中央には、伝動レバー３４の揺動動力を受け継ぐ受動穴７９が形成してある。
【００３７】
伝動レバー３４は、その上下中途部がホルダー３１の内面に設けた軸８０に軸支されて左右揺動でき、レバーの下端に受動ピン８１を有し、レバーの上端に駆動ピン８２を有する。切断刃３３および伝動レバー３４をホルダー３１に組み付けた状態において、駆動ピン８２は刃ホルダー３３ｂの受動穴７９に連結している。図１に示すように、ホルダー３１を作動位置へ押し上げ操作すると、受動ピン８１が駆動ピース１９ｂに設けた係合溝８３と係合するので、振動子１７の往復動作を駆動ピース１９ｂと伝動レバー３４を介して切断刃３３の可動刃３３ｃに伝動できる。
【００３８】
アタッチメント３０は、ホルダー３１に装着される本体部４３と、本体部４３の上部に膨出形成されて斜め上向きに傾斜する一群の梳歯４４と、両側端の梳歯４４に連続する左右一対の側壁４５などでキャップ状に形成してある。隣接する梳歯４４の間にはひげを導入案内する櫛溝４６が形成される。
【００３９】
本体部４３は、ホルダー３１で上下スライド可能に案内支持され、両者の間に設けたロック構造で一定間隔おきにロック保持できるようになっている。詳しくは、ホルダー３１の上部両側面に設けたガイドリブ４９で、側壁４５の内面に設けたガイド溝５０をスライド案内して、本体部４３をホルダー３１に沿って上下スライド可能に支持している。
【００４０】
ロック構造は、本体部４３の内面に組み付けられるロックレバー５２と、ロックレバー５２をロック付勢する捻りコイル形のばね５３と、ロックレバー５２をばね５３に抗してロック解除操作するロック解除ボタン（ロック解除具）５４と、ホルダー３１の側に設けられる一群の係合凹部（係合体）５５などで構成する。ロックレバー５２の上下中途部には、本体部４３で前後揺動可能に支持される軸５６が設けてあり、軸５６より上方に先の係合凹部５５と係合する逆Ｌ字状のロック爪５７が左右一対ずつ設けてある。ロックレバー５２の下部にはロック解除ボタン５４が一体に形成してある。
【００４１】
ロックレバー５２およびばね５３を本体部４３に組み付けた状態において、ロック解除ボタン５４の突端は本体部４３に開口した操作窓５８から突出する。操作窓５８より下側に位置する本体部４３の下周面は下凸湾曲状に形成され、さらに下凸湾曲部分の全体が斜め上向きに傾斜されていて、アタッチメント３０を昇降操作するときの指当壁５９としてある。
【００４２】
図６に示すように、係合凹部５５はホルダー３１の後面中央の表示壁６０を間にして左右一対ずつ、しかも上下方向に５個ずつ直線列状に形成してある。このように、係合凹部５５を上下複数箇所に設けると、ロック爪５７を各係合凹部５５に落とし込み係合させてアタッチメント３を一定間隔おきにロック保持できるうえ、ロック爪５７と係合凹部５５との係合位置が変更される毎に、梳歯４４と切断刃３３との間隔を変更して、切断刃３３によるトリミング高さを調整できることとなる。
【００４３】
図８に示すように、表示壁６０にはトリミング高さを意味する表示６１が１から５の整数として設けてある。この表示６１を操作窓５８の上部に開口した表示窓６２から視認することにより、ひげのトリミング高さを確認できる。例えば、表示窓６２から視認できる表示６１が１になっている場合には刈り高さが２mm、表示６１が２になっている場合には刈り高さが４mmと、整数表示が増すごとに２mmずつ刈り高さが増加するので、表示６１からトリミング高さを確認できる。
【００４４】
表示壁６０と直線列状の係合凹部５５との間には、一対の浅い係合溝６５が形成してあり、これらの係合溝６５に係合する突起６６が本体部４３の内面下部に突設してある。アタッチメント３０をホルダー３１に装着した状態において、突起６６は係合溝６５と常に係合しており、したがってガイドリブ４９とガイド溝５０によるスライド案内作用と併せて、上下スライドする時のアタッチメント３０の蛇行を規制でき、したがって常に適正にひげを切断刃３３に導入案内できる。なお、ロック爪５７を最上段の係合凹部５５より上方に位置させると、アタッチメント３をホルダー３１から上方へ抜き外すことができる。
【００４５】
アタッチメント３０をホルダー３１に装着し、調整ストロークの下限位置まで押し下げた状態においては、ホルダー３１の幅狭部分の殆どがアタッチメント３０の下方に露出する。この幅狭部分の外面に、トリマーユニット３の全体を上下操作する指当部６８を形成している。指当部６８はホルダー３１の後面を凹ませたうえで、凹み面の中央部分に左右に長い３個の滑り止めリブ６９を膨出して構成してある。
【００４６】
先のロック解除ボタン５４は、指当部６８を通る中心線上で、本体部４３の外面下部に位置する状態で配置される。このように、ロック解除ボタン５４と指当部６８とを上下に近接配置すると、本体ケース１をつかんだ状態で、指当部６８に親指をあてがってトリマーユニット３を押し上げ操作したのち、そのまま親指を上方へ動かしてロック解除ボタン５４および指当壁５９にあてがってアタッチメント３０の位置をスライド調整できるので、アタッチメント３０をスライド調整するとき、本体ケース１をつかみなおす必要もなく、一連の動作を簡便に行うことができる。
【００４７】
メイン刃１２およびセンター刃１３でひげを剃るときの電気かみそりの操作性を向上するために、図２および図７に示すように本体ケース１の上下中途部に、他のケース部分より幅狭のくびれ部分７１が形成してある。さらに、メイン刃１２を使用するために、本体部４３を図３に実線で示すように最下方に位置させた状態において、本体部４３に設けた指当壁５９を、くびれ部分７１の上傾斜面と同じ高さに位置させている。このように、くびれ部分７１と指当壁５９とが同じ高さに設けてあると、本体ケース１を五指で握りしめた状態において、先のくびれ部分７１の上傾斜面と、斜め上向きに傾斜する指当壁５９とで親指および人差し指の上面が受け止められるので、手が本体ケース１に沿って滑るのを確実に防止できるうえ、電気かみそりを手にフィットさせてその扱い易さを向上できる。
【００４８】
同様に、くびれ部分７１の凹み部分には、トリマーユニット３を使用するときの扱い易さを向上するために、親指と人差し指の指先をあてがう指当凹部７２が凹み形成してある。トリマーユニット３を使用するときは、図１０に示すように親指と人差し指の指先を指当凹部７２にあてがって本体ケース１をつかむことにより、電気かみそりをしっかりと捕捉しながら、アタッチメント３０の梳歯４４を肌面に沿って滑らせることができ、ひげのトリミングを正確にしかも簡便に行うことができる。また、くびれ部分７１の凹み位置とほぼ同じ高さにトリマーユニット３用の指当部６８を設けるので、くびれ部分７１をつかんだ状態において、本体ケース１をしっかりと捕捉し、手にフィットさせることができる。
【００４９】
かみそりヘッド９が本体ケース１で浮動支持してある電気かみそりにおいては、トリマーユニット３を使用するとき、かみそりヘッド９が振動反力を受けてぶるぶると揺振し、均等にひげをトリミングできないことがある。このようなかみそりヘッド９の揺振を防ぐために、ホルダー３１と外刃ホルダー２５との間に、かみそりヘッド９の揺振を規制するヘッドロック構造を設ける。
【００５０】
具体的には、図５および図７に示すように外刃ホルダー２５の後面に設けた突起７４と、内カバー３２に形成した左右一対の規制リブ７５とでヘッドロック構造を構成する。ホルダー３１を待機位置から上方の作動位置へとスライド操作すると、図７に示すように一対の規制リブ７５が突起７４と係合するので、かみそりヘッド９を揺振不能に固定保持できる。
【００５１】
ホルダー３１を作動位置に切り換えた状態においては、受動ピン８１が駆動ピース１９ｂに設けた係合溝８３と係合するが、伝動レバー３４が左右いずれかへ傾いていると、受動ピン８１が係合溝８３を挟む溝壁に接当して、それ以上ホルダー３１を押し上げ操作できなくなる。こうした不具合を解消するために、節度リブ８８の対向側面に三角形状の矯正カム８９を設け、矯正カム８９の間を通過しようとする受動ピン８１の姿勢を矯正して、左右方向へ傾動していた伝動レバー３４をほぼ垂直に復帰操作できるようにしている。
【００５２】
アタッチメント３０をホルダー３１に装着した状態においては、切断刃３３の外面が梳歯４４に覆われている。そのため、トリマーユニット３をきわ剃り刃として使用するときは、アタッチメント３０をホルダー３１から上方へ抜き取って、切断刃３３を完全に露出させる。この状態でトリマーユニット３を作動位置へ押し上げ操作し、さらにスイッチノブ５をオン操作することにより、切断刃３３を駆動してもみあげ部分や、ひげの周縁部分のきわ剃りを行える。なお、アタッチメント３０は、ホルダー３１が待機位置と作動位置、あるいは両位置の間の任意位置にあったとしても、ロック解除ボタン５４を押し込み操作することにより自由に抜き外すことができる。
【００５３】
ひげのトリミングを行うときは、アタッチメント３０をホルダー３１に対して上方から差し込み装着し、ロック解除ボタン５４を押し込み操作して、所定のトリミング高さになるまでアタッチメント３０を調整移動操作する。この状態でトリマーユニット３を作動位置へ押し上げ操作し、さらにスイッチノブ５をオン操作することにより、切断刃３３を駆動してひげのトリミングを行うことができる。
【００５４】
上記の実施例以外に、アタッチメント３０のガイド構造に関して、ガイドリブ４９を側壁４５の内面に設け、ガイド溝５０をホルダー３１の上部両側面に設けることができる。アタッチメント３０用のロック構造は実施例で説明した構造である必要はなく、ロック爪５７などの突起と、複数の係合凹部５５とが互いに係合しあう構造であれば、各種のロック構造を適用できる。例えばロック解除具５４は、ボタン構造とする以外に、スライドノブ構造やレバー構造等に変更することができる。係合体５５は、一定間隔おきに突設した一群のリブ状突起で構成することができる。本発明は、メイン刃１２がロータリー刃で構成してある電気かみそりにも適用できる。
【図面の簡単な説明】
【００５５】
【図１】かみそりヘッドおよびトリマーユニットの縦断側面図である。
【図２】電気かみそりの正面図である。
【図３】電気かみそりの側面図である。
【図４】電気かみそりの分解側面図である。
【図５】トリマーユニットおよびアタッチメントの分解斜視図である。
【図６】トリマーユニットと後ケースとの関係構造を示す分解斜視図である。
【図７】図１におけるＡ−Ａ線断面図である。
【図８】アタッチメント用のロック構造を示す断面図である。
【図９】図８におけるＢ−Ｂ線断面図である。
【図１０】電気かみそりの使用態様を示す背面図である。
【符号の説明】
【００５６】
１  本体ケース
３  トリマーユニット
９  かみそりヘッド
３０  アタッチメント
３１  ホルダー
３３  切断刃
４３  本体部
４４  梳歯
５４  ロック解除ボタン
【図１】
0004789188.tif 000002
【図２】
0004789188.tif 000003
【図３】
0004789188.tif 000004
【図４】
0004789188.tif 000005
【図５】
0004789188.tif 000006
【図６】
0004789188.tif 000007
【図７】
0004789188.tif 000008
【図８】
0004789188.tif 000009
【図９】
0004789188.tif 000010
【図１０】
0004789188.tif 000011